(57)【特許請求の範囲】
【請求項１】
低負荷運転とこれより高出力の高負荷運転とを切り替え可能なヒートポンプと、
このヒートポンプの凝縮器を介して給水路により給水可能であると共に、前記凝縮器を介さずに補給水路により給水可能な給水タンクとを備え、
前記給水路を介した前記給水タンクへの給水は、前記給水タンクの水位が第一水位（Ｈ１）を下回ると前記ヒートポンプを低負荷運転しつつ行い、前記第一水位より低い切替水位（Ｈ１´）を下回ると前記ヒートポンプを高負荷運転しつつ行う一方、前記第一水位より高い第二水位（Ｈ２）を上回ると停止し、
前記補給水路を介した前記給水タンクへの給水は、前記切替水位より低い第三水位（Ｈ３）を下回ると行う一方、前記第三水位より高いが前記切替水位より低い第四水位（Ｈ４）を上回ると停止する
ことを特徴とする給水加温システム。
【請求項２】
前記給水路を介した前記給水タンクへの給水中、前記ヒートポンプの凝縮器の出口側水温を設定温度に維持するように、前記凝縮器への通水量を調整する
ことを特徴とする請求項１に記載の給水加温システム。
【請求項３】
前記第四水位は、前記切替水位より低く設定されることに代えて、前記第一水位と同一の水位として設定されるか、前記切替水位と同一の水位として設定される
ことを特徴とする請求項１または請求項２に記載の給水加温システム。
【請求項４】
前記第一水位、前記切替水位および第四水位は、同一の水位として設定され、
前記ヒートポンプは、前記第一水位を下回ると運転する一方、前記第二水位を上回ると停止する
ことを特徴とする請求項１または請求項２に記載の給水加温システム。
【請求項５】
前記ヒートポンプの蒸発器に通される熱源流体の温度に基づき、前記ヒートポンプの低負荷運転時の出力を調整する
ことを特徴とする請求項１〜３のいずれか１項に記載の給水加温システム。
【請求項６】
前記ヒートポンプの低負荷運転時の出力は、前記給水タンクの水位下降時の方が水位上昇時よりも高出力に設定される
ことを特徴とする請求項１、２、３、５のいずれか１項に記載の給水加温システム。
【請求項７】
前記ヒートポンプの蒸発器に通される熱源流体の量が設定を下回ると、前記ヒートポンプの運転を停止すると共に、前記蒸発器への熱源流体の供給を停止する
ことを特徴とする請求項１〜６のいずれか１項に記載の給水加温システム。
【請求項８】
前記ヒートポンプは、低負荷運転と、これより高出力の中負荷運転と、これより高出力の高負荷運転とを切り替え可能とされ、
前記給水路を介した前記給水タンクへの給水は、前記給水タンクの水位が前記第一水位を下回ると前記ヒートポンプを低負荷運転しつつ行い、前記第一水位より低いが前記切替水位より高い所定水位を下回ると前記ヒートポンプを中負荷運転しつつ行い、前記切替水位を下回ると前記ヒートポンプを高負荷運転しつつ行う
ことを特徴とする請求項１、２、３、５、６のいずれか１項に記載の給水加温システム。
【発明の詳細な説明】
【技術分野】
【０００１】
本発明は、ヒートポンプを用いた給水加温システムに関するものである。
【背景技術】
【０００２】
従来、下記特許文献１に開示されるように、ボイラ（２４）の給水タンク（２３）への給水を、ヒートポンプ（１２）を用いて加温できるシステムが知られている。このシステムでは、給水タンク（２３）は、給水源（２１）から給水路を介して給水可能であると共に、給水路から分岐してヒートポンプ給湯器（１２）を介しても給水可能である。そして、給水タンク（２３）は、第１水位（５２Ｌ）を下回ると、ヒートポンプ給湯機（１２）からの給水が開始され、第１水位より高水位の第２水位（５２Ｈ）を上回ると、ヒートポンプ給湯機（１２）からの給水が停止される。また、第１水位より低水位の第３水位（３２Ｌ）を下回ると、給水源（２１）からの給水が開始され、第３水位より高水位であるが第１水位より低水位の第４水位（３２Ｈ）を上回ると、給水源（２１）からの給水が停止される。
【先行技術文献】
【特許文献】
【０００３】
【特許文献１】特開２０１０−２５４３１号公報（請求項４、図２−３）
【発明の概要】
【発明が解決しようとする課題】
【０００４】
前記特許文献１に記載の発明では、給水タンク内の水位に応じて、ヒートポンプ経由で給水するか、それに加えて直接にも給水するか、あるいはすべての給水を停止するかが切り替えられる。
【０００５】
しかしながら、ヒートポンプ経由で給水する場合、ヒートポンプの出力は一定であり、給水タンク内の水位に応じて制御できなかった。
【０００６】
そこで、本発明が解決しようとする課題は、ヒートポンプを用いた給水加温システムにおいて、給水タンク内の水位に応じてヒートポンプを効率よく運転することにある。
【課題を解決するための手段】
【０００７】
本発明は、前記課題を解決するためになされたもので、請求項１に記載の発明は、低負荷運転とこれより高出力の高負荷運転とを切り替え可能なヒートポンプと、このヒートポンプの凝縮器を介して給水路により給水可能であると共に、前記凝縮器を介さずに補給水路により給水可能な給水タンクとを備え、前記給水路を介した前記給水タンクへの給水は、前記給水タンクの水位が第一水位（Ｈ１）を下回ると前記ヒートポンプを低負荷運転しつつ行い、前記第一水位より低い切替水位（Ｈ１´）を下回ると前記ヒートポンプを高負荷運転しつつ行う一方、前記第一水位より高い第二水位（Ｈ２）を上回ると停止し、前記補給水路を介した前記給水タンクへの給水は、前記切替水位より低い第三水位（Ｈ３）を下回ると行う一方、前記第三水位より高いが前記切替水位より低い第四水位（Ｈ４）を上回ると停止することを特徴とする給水加温システムである。
【０００８】
請求項１に記載の発明によれば、給水タンク内の水位に基づきヒートポンプの出力を変更しつつ、給水路を介して給水タンクに給水すると共に、給水路経由の給水だけでは給水タンク内の水位を所望に維持できない場合には、補給水路を介しても給水タンクに給水することができる。
【０００９】
請求項２に記載の発明は、前記給水路を介した前記給水タンクへの給水中、前記ヒートポンプの凝縮器の出口側水温を設定温度に維持するように、前記凝縮器への通水量を調整することを特徴とする請求項１に記載の給水加温システムである。
【００１０】
請求項２に記載の発明によれば、給水路を介した給水タンクへの給水中、ヒートポンプの凝縮器の出口側水温を設定温度に維持するように、凝縮器への通水量を調整することで、給水路経由の給水温度を所望に維持することができる。
【００１１】
請求項３に記載の発明は、前記第四水位は、前記切替水位より低く設定されることに代えて、前記第一水位と同一の水位として設定されるか、前記切替水位と同一の水位として設定されることを特徴とする請求項１または請求項２に記載の給水加温システムである。
【００１２】
請求項３に記載の発明によれば、第四水位を第一水位または切替水位と同一の水位として設定することで、簡易な構成および制御とすることができる。
【００１３】
請求項４に記載の発明は、前記第一水位、前記切替水位および第四水位は、同一の水位として設定され、前記ヒートポンプは、前記第一水位を下回ると運転する一方、前記第二水位を上回ると停止することを特徴とする請求項１または請求項２に記載の給水加温システムである。
【００１４】
請求項４に記載の発明によれば、第一水位、切替水位および第四水位を同一の水位として設定すると共に、ヒートポンプは出力変更されることなく単にオンオフ制御することができる。但し、この場合でも、給水路を介した給水タンクへの給水中、ヒートポンプの凝縮器の出口側水温を設定温度に維持するように、凝縮器への通水量を調整する場合には、給水路経由の給水温度を所望に維持することができると共に、ヒートポンプを安定して効率よく運転することができる。
【００１５】
請求項５に記載の発明は、前記ヒートポンプの蒸発器に通される熱源流体の温度に基づき、前記ヒートポンプの低負荷運転時の出力を調整することを特徴とする請求項１〜３のいずれか１項に記載の給水加温システムである。
【００１６】
請求項５に記載の発明によれば、熱源流体の温度を考慮してヒートポンプの低負荷運転時の出力を調整することで、熱源流体の温度変化に拘わらず、給水路を介した給水タンクへの給水流量を安定させることができる。
【００１７】
請求項６に記載の発明は、前記ヒートポンプの低負荷運転時の出力は、前記給水タンクの水位下降時の方が水位上昇時よりも高出力に設定されることを特徴とする請求項１、２、３、５のいずれか１項に記載の給水加温システムである。
【００１８】
請求項６に記載の発明によれば、水位下降時にはヒートポンプの出力を上げることで、水位の回復を迅速に図ることができる。
【００１９】
請求項７に記載の発明は、前記ヒートポンプの蒸発器に通される熱源流体の量が設定を下回ると、前記ヒートポンプの運転を停止すると共に、前記蒸発器への熱源流体の供給を停止することを特徴とする請求項１〜６のいずれか１項に記載の給水加温システムである。
【００２０】
請求項７に記載の発明によれば、ヒートポンプの熱源流体がなくなると、ヒートポンプの運転を停止することができる。
【００２１】
さらに、請求項８に記載の発明は、前記ヒートポンプは、低負荷運転と、これより高出力の中負荷運転と、これより高出力の高負荷運転とを切り替え可能とされ、前記給水路を介した前記給水タンクへの給水は、前記給水タンクの水位が前記第一水位を下回ると前記ヒートポンプを低負荷運転しつつ行い、前記第一水位より低いが前記切替水位より高い所定水位を下回ると前記ヒートポンプを中負荷運転しつつ行い、前記切替水位を下回ると前記ヒートポンプを高負荷運転しつつ行うことを特徴とする請求項１、２、３、５、６のいずれか１項に記載の給水加温システムである。
【００２２】
請求項８に記載の発明によれば、ヒートポンプの出力をさらに細かく切り替えることで、より高い熱効率を実現することができる。
【発明の効果】
【００２３】
本発明によれば、ヒートポンプを用いた給水加温システムにおいて、給水タンク内の水位に応じてヒートポンプを効率よく運転することができる。
【図面の簡単な説明】
【００２４】
【図１】本発明の給水加温システムの一実施例を示す概略図である。
【図２】給水タンクの水位に基づく給水加温システムの制御方法の一例を示す図である。
【図３】給水タンクの水位に基づく給水加温システムの制御方法の変形例１を示す図である。
【図４】給水タンクの水位に基づく給水加温システムの制御方法の変形例２を示す図である。
【図５】給水タンクの水位に基づく給水加温システムの制御方法の変形例３を示す図である。
【発明を実施するための形態】
【００２５】
以下、本発明の具体的実施例を図面に基づいて詳細に説明する。
図１は、本発明の給水加温システム１の一実施例を示す概略図である。
【００２６】
本実施例の給水加温システム１は、ボイラ２の給水タンク３への給水をヒートポンプ４で加温できるシステムであり、ボイラ２への給水を貯留する給水タンク３と、この給水タンク３への給水を貯留する補給水タンク５と、この補給水タンク５から給水タンク３への給水を加温するヒートポンプ４と、このヒートポンプ４の熱源としての熱源水（たとえば廃温水）を貯留する熱源水タンク６とを備える。
【００２７】
ボイラ２は、蒸気ボイラであり、給水タンク３からの給水を加熱して蒸気にする。ボイラ２は、典型的には、蒸気の圧力を所望に維持するように、燃焼量を調整される。また、ボイラ２は、缶体内の水位を所望に維持するように、給水タンク３からボイラ２への給水路に設けたポンプ７が制御される。ボイラ２からの蒸気は、各種の蒸気使用設備（図示省略）へ送られるが、蒸気使用設備からのドレン（蒸気の凝縮水）を給水タンク３へ戻してもよい。
【００２８】
給水タンク３は、補給水タンク５から、ヒートポンプ４を介して給水路８により給水可能であると共に、ヒートポンプ４を介さずに補給水路９により給水可能である。給水路８に設けた給水ポンプ１０と、補給水路９に設けた補給水ポンプ１１との作動を制御することで、給水路８と補給水路９との内、いずれか一方または双方を介して、補給水タンク５から給水タンク３へ給水可能である。給水路８には、給水ポンプ１０より下流に、廃熱回収熱交換器１２とヒートポンプ４とが順に設けられている。
【００２９】
給水ポンプ１０は、本実施例では、インバータにより回転数を制御可能とされる。給水ポンプ１０の回転数を変更することで、給水路８を介した給水タンク３への給水量を調整することができる。一方、補給水ポンプ１１は、本実施例では、オンオフ制御される。
【００３０】
補給水タンク５は、給水タンク３への給水を貯留する。補給水タンク５への給水として、本実施例では軟水が用いられる。すなわち、軟水器（図示省略）にて水中の硬度分を除去された軟水は、補給水タンク５に供給され貯留される。補給水タンク５の水位に基づき軟水器からの給水を制御することで、補給水タンク５の水位は所望に維持される。
【００３１】
ヒートポンプ４は、蒸気圧縮式のヒートポンプであり、圧縮機１３、凝縮器１４、膨張弁１５および蒸発器１６が順次環状に接続されて構成される。そして、圧縮機１３は、ガス冷媒を圧縮して高温高圧にする。また、凝縮器１４は、圧縮機１３からのガス冷媒を凝縮液化する。さらに、膨張弁１５は、凝縮器１４からの液冷媒を通過させることで、冷媒の圧力と温度とを低下させる。そして、蒸発器１６は、膨張弁１５からの冷媒の蒸発を図る。
【００３２】
従って、ヒートポンプ４は、蒸発器１６において、冷媒が外部から熱を奪って気化する一方、凝縮器１４において、冷媒が外部へ放熱して凝縮することになる。これを利用して、本実施例では、ヒートポンプ４は、蒸発器１６において、熱源としての熱源水から熱をくみ上げ、凝縮器１４において、給水路８の水を加温する。
【００３３】
ヒートポンプ４は、凝縮器１４と膨張弁１５との間に、所望により過冷却器１７を設けてもよい。過冷却器１７は、凝縮器１４から膨張弁１５への冷媒と、凝縮器１４への給水との間接熱交換器である。過冷却器１７により、凝縮器１４への給水で、凝縮器１４から膨張弁１５への冷媒を過冷却することができると共に、凝縮器１４から膨張弁１５への冷媒で、凝縮器１４への給水を加温することができる。ヒートポンプ４の冷媒は、凝縮器１４において潜熱を放出し、過冷却器１７において顕熱を放出する。
【００３４】
その他、ヒートポンプ４には、圧縮機１３の入口側にアキュムレータを設置したり、圧縮機１３の出口側に油分離器を設置したり、凝縮器１４の出口側（凝縮器１４と過冷却器１７との間）に受液器を設置したりしてもよい。
【００３５】
ところで、ヒートポンプ４は、その出力（圧縮機１３の容量）を段階的に変更可能とされている。本実施例では、圧縮機１３のモータの回転数をインバータで変更することで、ヒートポンプ４は、低負荷運転とこれより高出力の高負荷運転とを切り替え可能とされている。たとえば、高負荷運転では全負荷運転（１００％出力）され、低負荷運転では高負荷運転よりも低負荷運転（たとえば５０％出力）される。
【００３６】
熱源水タンク６は、ヒートポンプ４の熱源としての熱源水を貯留する。熱源水とは、たとえば廃温水（工場などから排出される温水）である。なお、熱源水タンク６には、熱源水の供給路１８が設けられると共に、所定以上の水をあふれさせるオーバーフロー路１９が設けられている。
【００３７】
熱源水タンク６の水は、熱源供給路２０を介して、ヒートポンプ４の蒸発器１６を通された後、廃熱回収熱交換器１２を通される。熱源供給路２０には、蒸発器１６より上流側に熱源供給ポンプ２１が設けられており、この熱源供給ポンプ２１を作動させることで、熱源水タンク６からの熱源水を、蒸発器１６と廃熱回収熱交換器１２とに順に通すことができる。
【００３８】
なお、廃熱回収熱交換器１２は、補給水タンク５から過冷却器１７への給水と、蒸発器１６からの熱源水との間接熱交換器である。本実施例の場合、補給水タンク５から給水路８を介した給水タンク３への給水は、補給水タンク５から、廃熱回収熱交換器１２、過冷却器１７および凝縮器１４を順に通された後、給水タンク３へ供給される。
【００３９】
給水路８には、凝縮器１４の出口側に、水温センサ２２が設けられる。この水温センサ２２は、凝縮器１４を通過後の水温を検出する。水温センサ２２の検出温度に基づき、給水ポンプ１０が制御される。ここでは、給水ポンプ１０は、水温センサ２２の検出温度を設定温度Ｔ１（たとえば７５℃）に維持するようにインバータ制御される。つまり、給水路８を介した給水タンク３への給水は、水温センサ２２の検出温度を設定温度Ｔ１に維持するように、流量が調整される。但し、場合により、このような水温センサ２２による流量調整制御を省略することもできる。
【００４０】
給水タンク３には、水位検出器２３が設けられている。水位検出器２３の構成は特に問わないが、本実施例では電極式水位検出器とされる。つまり、給水タンク３には、長さの異なる複数の電極棒２４〜２８が、その下端部の高さ位置を互いに異ならせて差し込まれて保持されている。具体的には、給水停止電極棒２４、給水開始電極棒２５、負荷切替電極棒２６、補給水停止電極棒２７、補給水開始電極棒２８が、順に下端部の高さ位置を低くして、給水タンク３に挿入されている。各電極棒２４〜２８は、その下端部が水に浸かるか否かにより、下端部における水位の有無を検出する。
【００４１】
熱源水タンク６には、ヒートポンプ４の熱源としての熱源水の有無を確認するために、水位検出器２９が設けられている。水位検出器２９の構成は特に問わないが、本実施例では電極式水位検出器とされる。つまり、熱源水タンク６には、低水位検出電極棒３０が差し込まれており、熱源水の水位が設定を下回っていないかを監視する。また、熱源水タンク６には、熱源水の温度を検出する熱源温度センサ３１を設けておいてもよい。
【００４２】
次に、本実施例の給水加温システム１の制御（運転方法）について説明する。以下に説明する一連の制御は、図示しない制御器を用いて自動でなされる。
【００４３】
図２は、給水タンク３の水位に基づく給水加温システム１の制御方法の一例を示す図である。この図に示すように、給水タンク３の水位に基づき、ヒートポンプ４（特にその圧縮機１３）および給水ポンプ１０と、補給水ポンプ１１とが制御される。
【００４４】
ここで、ヒートポンプ４は、その圧縮機１３の作動の有無により、運転と停止が切り替えられる。また、前述したように、本実施例では、ヒートポンプ４は、高負荷運転（典型的には全負荷運転＝１００％出力）、低負荷運転（たとえば５０％出力）および停止（０％出力）の三位置で制御される。
【００４５】
一方、給水ポンプ１０は、ヒートポンプ４の作動に連動し、ヒートポンプ４の作動中は給水ポンプ１０も作動し、ヒートポンプ４の停止中は給水ポンプ１０も停止する。但し、厳密には、ヒートポンプ４の圧縮機１３の始動時、給水ポンプ１０を先に作動させている。また、前述したように、給水ポンプ１０は、作動中、水温センサ２２の検出温度を所望に維持するように、回転数をインバータ制御される。その結果、ヒートポンプ４の高負荷運転時は低負荷運転時よりも多い流量で、給水路８を介して給水タンク３へ給水可能となる。
【００４６】
いま、給水停止電極棒２４が水位を検知し、給水タンク３内の水位が十分にある場合（給水タンク３内の水位が第二水位Ｈ２を上回っている場合）、給水タンク３への給水は不要であるから、ヒートポンプ４を停止すると共に、補給水ポンプ１１も停止している。
【００４７】
給水タンク３からボイラ２への給水により、給水タンク３内の水位が下がり、給水タンク３内の水位が第一水位Ｈ１を下回り、給水開始電極棒２５が水位を検知しなくなると、ヒートポンプ４を低負荷運転する。これにより、給水路８を介して給水タンク３に給水されるが、給水タンク３内の水位が第二水位Ｈ２を上回り、給水停止電極棒２４が水位を検知すると、ヒートポンプ４を停止する。
【００４８】
給水タンク３内の水位が第一水位Ｈ１を下回りヒートポンプ４を低負荷運転しても、水位を回復できず、給水タンク３内の水位が切替水位Ｈ１´を下回り、負荷切替電極棒２６が水位を検知しなくなると、ヒートポンプ４を高負荷運転に切り替える。これにより、低負荷運転時よりも多い流量で給水路８を介して給水タンク３に給水されるが、給水タンク３内の水位が第一水位Ｈ１を上回り、給水開始電極棒２５が水位を検知すると、ヒートポンプ４を低負荷運転に切り替え、さらに給水タンク３内の水位が第二水位Ｈ２を上回り、給水停止電極棒２４が水位を検知すると、ヒートポンプ４を停止する。
【００４９】
一方、給水タンク３内の水位が切替水位Ｈ１´を下回りヒートポンプ４を高負荷運転しても、水位を回復できず、給水タンク３内の水位が第三水位Ｈ３を下回り、補給水開始電極棒２８が水位を検知しなくなると、補給水ポンプ１１を作動させて、補給水路９を介しても給水タンク３に給水される。これにより、給水タンク３内の水位が回復して、給水タンク３内の水位が第四水位Ｈ４を上回り、補給水停止電極棒２７が水位を検知すると、補給水ポンプ１１を停止して、補給水路９を介しての給水を停止する。さらに、前述したように、第一水位Ｈ１を上回ると、ヒートポンプ４を高負荷運転から低負荷運転に切り替え、さらに、第二水位Ｈ２を上回ると、ヒートポンプ４を停止して、給水タンク３への給水を停止する。
【００５０】
ヒートポンプ４を運転して、補給水タンク５から給水路８を介して給水タンク３へ給水する際、補給水タンク５からの給水は、廃熱回収熱交換器１２、過冷却器１７および凝縮器１４により徐々に加温されて、所定温度で給水タンク３へ供給される。給水タンク３とヒートポンプ４との間で水を循環させる場合と比較して、補給水タンク５から給水タンク３への一回の通過（ワンススルー）で給水を加温するので、ヒートポンプ４を通過する前後の給水の温度差を確保して、ヒートポンプ４の成績係数（ＣＯＰ）の向上を図ることができる。さらに、ヒートポンプ４と廃熱回収熱交換器１２とにより、給水加温システム１のシステム効率の向上を図ることができる。
【００５１】
ところで、ヒートポンプ４の運転中、つまり給水路８を介した給水タンク３への給水中、熱源水タンク６内の水温を熱源温度センサ３１で監視して、その温度に基づきヒートポンプ４の低負荷運転時の出力を調整してもよい。つまり、前記実施例では、低負荷運転は全負荷運転の５０％出力としたが、この出力％を熱源温度センサ３１の検出温度に応じて変更してもよい。ヒートポンプ４の熱源としての熱源水の温度が高温なほど、低負荷運転時の出力％を下げることができる。熱源水の温度を考慮してヒートポンプ４の低負荷運転時の出力を調整することで、熱源水の温度変化に拘わらず、給水路８を介した給水タンク３への給水流量を安定させることができる。
【００５２】
また、ヒートポンプ４の低負荷運転時の出力は、給水タンク３内の水位下降時の方が水位上昇時よりも高出力に設定してもよい。つまり、給水タンク３内の水位が第一水位Ｈ１を下回ることで、ヒートポンプ４が停止状態から低負荷運転に切り替わった場合における低負荷運転時の圧縮機１３の出力（たとえば回転速度）は、給水タンク３内の水位が第一水位Ｈ１を上回ることで、ヒートポンプ４が高負荷運転から低負荷運転に切り替わった場合における低負荷運転時の圧縮機１３の出力よりも高出力に設定してもよい。水位下降時にはヒートポンプ４の出力を上げることで、水位の回復を迅速に図ることができる。
【００５３】
さらに、熱源水タンク６内の水位が下がり、低水位検出電極棒３０が水位を検知しなくなると、ヒートポンプ４の運転を停止すると共に、熱源供給ポンプ２１を停止して蒸発器１６への熱源水の供給を停止するのがよい。これにより、ヒートポンプ４を無駄に運転するのが防止される。
【００５４】
図３は、給水タンク３の水位に基づく給水加温システム１の制御方法の変形例１を示す図である。前記実施例（図２）では、第四水位Ｈ４は第一水位Ｈ１や切替水位Ｈ１´より低く設定されたが、本変形例１（図３）では、第四水位Ｈ４は第一水位Ｈ１と同一の水位として設定される。
【００５５】
すなわち、前記実施例では、給水タンク３には、給水開始電極棒２５とは別に補給水停止電極棒２７を設けて、第四水位Ｈ４を第一水位Ｈ１と異なる水位としたが、これら電極棒２５，２７を共通の統一電極棒として、第四水位Ｈ４を第一水位Ｈ１と同一の水位としてもよい。言い換えれば、給水開始電極棒２５が補給水停止電極棒２７を兼ねる。
【００５６】
この変形例１では、ヒートポンプ４は、前記実施例と同様に制御される。一方、補給水ポンプ１１は、給水タンク３内の水位が第三水位Ｈ３を下回り、補給水開始電極棒２８が水位を検知しなくなると作動し、補給水路９を介して給水タンク３に給水する一方、給水タンク３内の水位が第四水位Ｈ４（＝第一水位Ｈ１）を上回り、統一電極棒（補給水停止電極棒２７＝給水開始電極棒２５）が水位を検知すると停止して、補給水路９を介しての給水を停止する。
【００５７】
図４は、給水タンク３の水位に基づく給水加温システム１の制御方法の変形例２を示す図である。前記実施例（図２）では、第四水位Ｈ４は切替水位Ｈ１´より低く設定されたが、本変形例２（図４）では、第四水位Ｈ４は切替水位Ｈ１´と同一の水位として設定される。
【００５８】
すなわち、前記実施例では、給水タンク３には、負荷切替電極棒２６とは別に補給水停止電極棒２７を設けて、第四水位Ｈ４を切替水位Ｈ１´と異なる水位としたが、これら電極棒２６，２７を共通の統一電極棒として、第四水位Ｈ４を切替水位Ｈ１´と同一の水位としてもよい。言い換えれば、負荷切替電極棒２６が補給水停止電極棒２７を兼ねる。
【００５９】
この変形例２では、ヒートポンプ４は、前記実施例と同様に制御される。一方、補給水ポンプ１１は、給水タンク３内の水位が第三水位Ｈ３を下回り、補給水開始電極棒２８が水位を検知しなくなると作動し、補給水路９を介して給水タンク３に給水する一方、給水タンク３内の水位が第四水位Ｈ４（＝切替水位Ｈ１´）を上回り、統一電極棒（補給水停止電極棒２７＝負荷切替電極棒２６）が水位を検知すると停止して、補給水路９を介しての給水を停止する。
【００６０】
図５は、給水タンク３の水位に基づく給水加温システム１の制御方法の変形例３を示す図である。この変形例３では、前記実施例（図２）における第一水位Ｈ１、切替水位Ｈ１´および第四水位Ｈ４が同一の水位として設定される。また、この変形例３では、ヒートポンプ４は、単にオンオフ制御される。ヒートポンプ４の出力を変更しないので、切替水位Ｈ１´はないともいえる。
【００６１】
すなわち、前記実施例では、給水タンク３には、給水開始電極棒２５とは別に負荷切替電極棒２６や補給水停止電極棒２７を設けたが、給水開始電極棒２５と補給水停止電極棒２７とを共通の統一電極棒として、第四水位Ｈ４を第一水位Ｈ１と同一の水位とすると共に、負荷切替電極棒２６を省略して、切替水位Ｈ１´をなくしている。言い換えれば、給水開始電極棒２５が補給水停止電極棒２７を兼ねると共に、負荷切替電極棒２６が省略される。
【００６２】
この変形例３では、ヒートポンプ４は、給水タンク３内の水位が第一水位Ｈ１（＝第四水位Ｈ４）を下回り、統一電極棒（給水開始電極棒２５＝補給水停止電極棒２７）が水位を検知しなくなると、ヒートポンプ４を運転する一方、給水タンク３内の水位が第二水位Ｈ２を上回り、給水停止電極棒２４が水位を検知すると、ヒートポンプ４を停止する。また、補給水ポンプ１１は、給水タンク３内の水位が第三水位Ｈ３を下回り、補給水開始電極棒２８が水位を検知しなくなると作動する一方、給水タンク３内の水位が第四水位Ｈ４（＝第一水位Ｈ１）を上回り、統一電極棒（補給水停止電極棒２７＝給水開始電極棒２５）が水位を検知すると停止する。
【００６３】
本発明の給水加温システム１は、前記実施例の構成に限らず、適宜変更可能である。たとえば、前記実施例では、切替水位を一つとすると共に、ヒートポンプ４を高負荷運転、低負荷運転および停止の三位置で制御した例を示したが、切替水位を複数として、ヒートポンプ４を四位置以上で制御してもよい。
【００６４】
具体的には、負荷切替電極棒２６を第一負荷切替電極棒と第二負荷切替電極棒との二つとすると共に、ヒートポンプ４を高負荷運転（典型的には全負荷運転＝１００％出力）と、これより低出力の中負荷運転（たとえば８０％出力）と、これより低出力の低負荷運転（たとえば５０％出力）および停止の四位置で制御する。
【００６５】
そして、給水路８を介した給水タンク３への給水は、給水タンク３の水位が第一水位Ｈ１を下回るとヒートポンプ４を低負荷運転しつつ行い、第一水位Ｈ１より低いが切替水位Ｈ１´より高い所定水位を下回るとヒートポンプ４を中負荷運転しつつ行い、切替水位Ｈ１´を下回るとヒートポンプ４を高負荷運転しつつ行う。
【００６６】
具体的には、給水停止電極棒２４、給水開始電極棒２５、第一負荷切替電極棒、第二負荷切替電極棒、補給水停止電極棒２７、補給水開始電極棒２８を、順に下端部の高さ位置を低くして給水タンク３に設置すればよい。そして、水位低下時には、ヒートポンプ４は、給水開始電極棒２５が水位を検知しなくなると低負荷運転し、第一負荷切替電極棒が水位を検知しなくなると中負荷運転に切り替え、第二負荷切替電極棒が水位を検知しなくなると高負荷運転に切り替える。逆に、水位上昇時には、ヒートポンプ４は、第一負荷切替電極が水位を検知すると中負荷運転に切り替え、給水開始電極棒２５が水位を検知すると低負荷運転に切り替え、給水停止電極棒２４が水位を検知すると停止する。その他の構成は、前記実施例および変形例と同様であるため、説明は省略する。
【００６７】
また、ヒートポンプ４は、単段に限らず複数段とすることもできる。ヒートポンプ４を複数段にする場合、隣接する段のヒートポンプ同士は、間接熱交換器を用いて接続されてもよいし、直接熱交換器（中間冷却器）を用いて接続されてもよい。後者の場合、下段ヒートポンプの圧縮機からの冷媒と上段ヒートポンプの膨張弁からの冷媒とを受けて、両冷媒を直接に接触させて熱交換する中間冷却器を備え、この中間冷却器が下段ヒートポンプの凝縮器であると共に上段ヒートポンプの蒸発器とされる。このように、複数段（多段）のヒートポンプ４には、一元多段のヒートポンプの他、複数元（多元）のヒートポンプ、あるいはそれらの組合せのヒートポンプが含まれる。
【００６８】
また、給水タンク３に、凝縮器１４を介して給水路８により給水可能であると共に、凝縮器１４を介さずに補給水路９により給水可能であれば、給水路８や補給水路９の具体的構成は、前記実施例の構成に限らず適宜変更可能である。たとえば、前記実施例では、給水路８と補給水路９とは、それぞれ補給水タンク５と給水タンク３とを接続するように並列に設けたが、給水路８と補給水路９との一端部（補給水タンク５側の端部）と他端部（給水タンク３側の端部）の一方または双方は、共通の管路としてもよい。言い換えれば、補給水路９の一端部は、補給水タンク５に接続するのではなく、給水路８から分岐するように設けてもよいし、補給水路９の他端部は、給水タンク３に接続するのではなく、給水タンク３の手前において給水路８に合流するように設けてもよい。補給水路９の一端部を、補給水タンク５に接続するのではなく、給水路８から分岐するように設ける場合、その分岐部より下流において、給水路８に給水ポンプ１０を設ける一方、補給水路９に補給水ポンプ１１を設ければよいが、分岐部よりも上流側の共通管路にのみポンプを設けて、分岐部より下流の給水路８および／または補給水路９に設けたバルブの開度を調整することで、給水路８や補給水路９を通る流量を調整してもよい。
【００６９】
また、前記実施例では、給水タンク３への給水を貯留するために補給水タンク５を設置したが、場合により補給水タンク５の設置を省略して、給水源から直接に給水路８および補給水路９に水を通してもよい。
【００７０】
また、前記実施例では、給水路８および／または補給水路９を介して、補給水タンク５から給水タンク３へ給水可能としたが、これら給水は、軟水器から直接に行ってもよい。たとえば、図１において、給水路８および補給水路９の基端部をまとめて軟水器に接続し、給水ポンプ１０の設置を省略する代わりに給水路８に設けた電動弁（モータバルブ）の開度を調整し、補給水ポンプ１１の設置を省略する代わりに補給水路９に設けた電磁弁の開閉を制御すればよい。
【００７１】
また、前記実施例では、ボイラ２の給水タンク３への給水をヒートポンプ４で加温できるシステムについて説明したが、給水タンク３の貯留水の利用先は、ボイラ２に限らず適宜に変更可能である。
【００７２】
また、前記実施例では、給水路８を介した給水タンク３への給水流量を調整するために、給水ポンプ１０をインバータ制御したが、給水ポンプ１０をオンオフ制御しつつ、給水路８に設けたバルブの開度を調整してもよい。つまり、水温センサ２２の検出温度に基づき給水路８を介した給水の流量を調整可能であれば、その流量調整方法は適宜に変更可能である。
【００７３】
さらに、前記実施例では、ヒートポンプ４の熱源として熱源水を用いた例について説明したが、ヒートポンプ４の熱源流体として、熱源水に限らず、空気や排ガスなど各種の流体を用いることができる。
【符号の説明】
【００７４】
１  給水加温システム
２  ボイラ
３  給水タンク
４  ヒートポンプ
５  補給水タンク
６  熱源水タンク
７  ポンプ
８  給水路
９  補給水路
１０  給水ポンプ
１１  補給水ポンプ
１２  廃熱回収熱交換器
１３  圧縮機
１４  凝縮器
１５  膨張弁
１６  蒸発器
１７  過冷却器
１８  供給路
１９  オーバーフロー路
２０  熱源供給路
２１  熱源供給ポンプ
２２  水温センサ
２３  水位検出器
２４  給水停止電極棒
２５  給水開始電極棒
２６  負荷切替電極棒
２７  補給水停止電極棒
２８  補給水開始電極棒
２９  水位検出器
３０  低水位検出電極棒
３１  熱源温度センサ
Ｈ１  第一水位
Ｈ１´  切替水位
Ｈ２  第二水位
Ｈ３  第三水位
Ｈ４  第四水位
【図１】
0005880266.tif 000002
【図２】
0005880266.tif 000003
【図３】
0005880266.tif 000004
【図４】
0005880266.tif 000005
【図５】
0005880266.tif 000006